(57)【要約】      （修正有）【課題】構造簡単にして取り付け作業が容易で、容器本体の口元と注ぎ口との間を確実に連通し、シール不良による水漏れを確実に防止する液体容器を提供する。【解決手段】中央開口の肩部材は、外側壁部１９の上端より内方に向けて口元上面に延びた上壁部２０と、この上壁部先端より口元内側に向けて垂下した内壁部２１とにて口元を覆い被すように設け、栓内筒部材９が、筒状で下部に液体容器本体の口元に内側より嵌合する下部筒部２４と、上部前方に栓カバーの注出口５ａを形成する注出筒５の内側より上方に向けて嵌合する上部筒部２５とを設け、この上部筒部外周に注出筒５の下部と当接する接触面鉤状の上部環状パッキンを付設し、下部筒部２４外周に液体容器本体の口元を覆う肩部材の上壁部２０と内壁部２１とに当接する接触面鉤状の下部環状パッキン２を付設する構成としている。【選択図】図４
0003149537.tif 000002
【実用新案登録請求の範囲】
【請求項１】
液体を収容する液体容器本体（２）と、この液体容器本体の上部を覆う中央開口の肩部材（４）と、内部中空で肩部材の外周に螺着し、液体を注出する注出口（５ａ）を備えた栓カバー（６）と、栓カバー内にあって、液体容器本体の口元（８）と栓カバーの注出口とを繋ぐ栓内筒部材（９）と、栓カバーの注出口を開閉するキャツプ（７）と、栓カバー前方に配置されキャツプの開閉を操作する開閉操作部材（１０）とを設けた携帯用の液体容器（１）において、上記中央開口の肩部材（４）は、外側壁部（１９）の上端より内方に向けて口元（８）上面に延びた上壁部（２０）と、この上壁部先端より口元内側に向けて垂下した内壁部（２１）とにて口元を覆い被すように設け、栓内筒部材（９）が、筒状で下部に液体容器本体の口元（８）に内側より嵌合する下部筒部（２４）と、上部前方に栓カバー（６）の注出口（５ａ）を形成する注出筒（５）の内側より上方に向けて嵌合する上部筒部（２５）とを設け、この上部筒部外周に注出筒（５）の下部と当接する接触面鉤状の上部環状パッキン（２７）を張設し、下部筒部（２４）外周に液体容器本体の口元（８）を覆う肩部材の上壁部（２０）と内壁部（２１）とに当接する接触面鉤状の下部環状パッキン（２８）を張設することを特徴とした携帯用の液体容器。
【考案の詳細な説明】
【技術分野】
【０００１】
本考案は、注出口を傾けて直飲み、又はコップ等に注いで飲む携帯用の液体容器に関するものである。
【背景技術】
【０００２】
一般に、携帯用まほうびんや水筒等の携帯用の液体容器は、液体容器本体の口元に装着した栓を外すか又は緩めてコップ等に一旦注いで飲むタイプの構造のものが多かったが、近年コップ等に注いで飲むだけではなく、特許文献１に開示されるように、液体容器本体を傾け、注出口に口を付けて直に飲むタイプの構造のものが開発されている。
【特許文献１】特開２００６−１６０３５９号公報
【考案の開示】
【考案が解決しようとする課題】
【０００３】
ところが、このような液体容器では、容器本体１の肩部に肩部材９を無理嵌めし、容器本体の口元でなく、口元のはるか下方に存在する絞り部１８に下端が当接する栓４を配置し、この栓の上方に延びた注出管５の周りから肩部材９に螺着して栓４自体を押し下げる栓カバー３を設け、この栓カバーに注出管５の注ぎ口５ａを開閉するキャツプ７を設けているにすぎません。
【０００４】
そのために、栓４と栓カバー３とキャツプ７との位置関係が複雑で円滑に行えず、栓４の注ぎ口５ａにスムーズにキャツプ７を開閉することが困難であり、取り付け作業が煩雑である。又、肩部材９に螺着する栓カバー３の螺着によって、容器本体１内の絞り部１８との接触や栓カバーの注出管支持筒１７との接触等の関係が複雑で、栓外への水漏れが生じるという問題点があった。
【課題を解決するための手段】
【０００５】
本考案は、液体を収容する液体容器本体２と、この液体容器本体の上部を覆う中央開口の肩部材４と、内部中空で肩部材の外周に螺着し、液体を注出する注出口５ａを備えた栓カバー６と、栓カバー内にあって、液体容器本体の口元８と栓カバーの注出口とを繋ぐ栓内筒部材９と、栓カバーの注出口を開閉するキャツプ７と、栓カバー前方に配置されキャツプの開閉を操作する開閉操作部材１０とを設けた携帯用の液体容器１において、上記中央開口の肩部材４は、外側壁部１９の上端より内方に向けて口元８上面に延びた上壁部２０と、この上壁部先端より口元内側に向けて垂下した内壁部２１とにて口元を覆い被すように設け、栓内筒部材９が、筒状で下部に液体容器本体の口元８に内側より嵌合する下部筒部２４と、上部前方に栓カバー６の注出口５ａを形成する注出筒５の内側より上方に向けて嵌合する上部筒部２５とを設け、この上部筒部外周に注出筒５の下部と当接する接触面鉤状の上部環状パッキン２７を張設し、下部筒部２４外周に液体容器本体の口元８を覆う肩部材の上壁部２０と内壁部２１とに当接する接触面鉤状の下部環状パッキン２を張設する構成としている。
【考案の効果】
【０００６】
本考案は、従来の問題点を解決したものであって、構造簡単にして取り付け作業が容易で、容器本体の口元と注ぎ口との間を確実に連通し、シール不良による水漏れを確実に防止する携帯用の液体容器を提供するにある。
【考案を実施するための最良の形態】
【０００７】
携帯用の液体容器１は、液体を収容する液体容器本体２と、この液体容器本体の下部を覆う底部材３と、液体容器本体の上部を覆う肩部材４と、この肩部材の外周に螺着し、液体を外部へ注出する注出筒５を備えた栓カバー６と、この注出筒の注出口５ａを開閉するキャツプ７と、栓カバー６の注出筒５と液体容器本体２の口元８とを繋ぐ栓内筒部材９と、キャツプ７を開閉操作する開閉操作部材１０とから構成されている。
１１は、把手である。
【０００８】
液体容器本体２は、図２に示すように、ステンレス等の金属製材料にて有底筒状に形成された内筒１２と、この内筒と所定の間隔を隔てて囲んだ外筒１３とからなっており、内筒、外筒ともに口元８中央に向かって絞り込み垂直の壁を設けて後、その上端の内筒、外筒を溶接接合して口元８としている。この内筒と外筒との間は真空引きされている。
【０００９】
この外筒１３の絞り込んだ外壁には、図３乃至図４に示すように、後述の肩部材４をビス１４止めするためのアングル１５を溶接している。
このアングル１５は、１個でもよく、又絞り込んだ外壁周囲に２〜３箇所設けてもよい。
液体容器本体２の内筒１２と外筒１３とが重なった口元８には、逆Ｕ字状の弾性パッキン１３が張設されている。
【００１０】
肩部材４は、図３乃至図４に示すように、中央中空で液体容器本体２のアングル１５にビス止めされる肩部１７と、この肩部の内方より液体容器本体の垂直の壁に沿って上方に延びた外周ネジ部１８とからなる外側壁部１９と、この外側壁部の外周ネジ部１８上端より内方へ延びて弾性パッキン１３を押さえる上壁部２０と、この上壁部の先端より口元８内側に入り込み垂下した内壁部２１とにて一体的に形成されている。
この上壁部２０と内壁部２１との境界に後述の下部環状パッキンの横片を納めるように切り欠いたコーナー溝を設けてもよい。
【００１１】
肩部材４の外周ネジ部１８に螺着する栓カバー６は、図３，図４又は図６に示すように、内部中空で、下部内壁に外周ネジ部の雄ネジに螺合わされる雌ネジを備えた内壁ネジ部２２と、中央のやや前方より上方に延びた注出筒５とが一体的に形成されており、上方後側に注出筒５の注出口５ａを開閉する後述のキャツプ７を開閉自在に装着し、前方に後述のキャツプを開閉操作する開閉操作部材１０を装着している。
【００１２】
２３は、図６に示すように、注出筒５の後方で正面視左右両側に垂設した二股状の垂下片である。
この垂下片２３は、二股内に後述の栓内筒部材９の鍔を嵌め込んで、栓内筒部材の独自の回動を規制するものである。
【００１３】
栓カバー６に内蔵される栓内筒部材９は、図２乃至図５に示すように、筒状で下部に液体容器本体２の口元８に内側より嵌合する下部筒部２４と、上部前方に栓カバー６の注出筒５に内側より上方に向けて嵌合する上部筒部２５とを一体的に設けている。
２６は、液体容器本体２の口元８から流れ出す液体の流量を規制するための遮蔽板である。
【００１４】
この栓内筒部材９の上部筒部２５外周には、図３乃至図５に示すように、注出筒５の下部と当接する接触面が鉤状の上部環状パッキン２７を張設している。
この上部環状パッキン２７は、弾性材料にて縦断面Ｌ字状に形成されており、下側から注出筒５の内側上方に向けて押し上げられるようにしているために、縦断面Ｌ字状の接触面の縦面は注出筒５の下部内側垂直面と接触し、縦断面Ｌ字状の接触面の横面は注出筒５の内側に近い下端面と接触できるので、栓内筒部材９の上部筒部２５と栓カバー６の注出筒５とが十二分に接触でき、水漏れの恐れが全くなくなる。
【００１５】
又、栓内筒部材９の下部筒部２４外周には、図３乃至図５に示すように、肩部材４の上壁部２０と内壁部２１とに当接する接触面が鉤状の下部環状パッキン２８を張設している。
この下部環状パッキン２８は、弾性材料にて縦断面ト字状に形成されており、栓内筒部材９が押し下げられるようにしているために、縦断面ト字状の接触面の縦面は肩部材４の内壁部２１と接触し、縦断面ト字状の接触面の横面は肩部材４の上壁部２０と接触できるので、栓内筒部材９の下部筒部２４と肩部材４ので容器本体２の口元８とが十二分に接触でき、水漏れの恐れが全くなくなる。
【００１６】
更に、この下部環状パッキン２８は、押し下げられるために縦断面ト字状の接触面の横面が弾性変形して斜め上方に傾斜しても横面は肩部材４の上壁部２０と接触できるので、接触面を十分確保することができる。この下部環状パッキン２８は、接触面が鉤状であれば、縦断面Ｌ字状パッキンであってもよい。
２９は、栓カバー６の二股状の垂下片２３に嵌め込まれる左右に形成された各鍔であって、栓内筒部材９の独自の回動を規制して栓カバー６の螺着と共にこの栓内筒部材が回り、容器本体２の口元８に嵌め込まれ、又抜き取られるようにしている。
【００１７】
キャツプ７は、図２乃至図４に示すように、栓カバー６の後方にバネ３０を介在して装着しており、閉鎖時栓カバーの注出筒５の注出口５ａを閉じる閉鎖部材３１を設けている。
このキャツプ７は、前方内側に開閉操作部材１０の開閉ボタンの操作により開閉する係止片３２を設けている。
【００１８】
このキャツプ７を開閉する開閉操作部材１０は、図４に示すように、キャツプの係止片３２を開閉する開閉ボタン３３と、この開閉ボタンをロックするロックボタン３４とを設けている。この開閉ボタン３３は、スプリング３５の介在により常時係止片３２を係止する状態にしており、スプリングに抗してのみ係止片を離脱開放するようにしている。
ロックボタン３４は、左右スライド方式で、一方向にスライドさせることにより、開閉ボタン３３を係止し、反対方向へのスライドで開閉ボタンを開放するようにしている。
【００１９】
このように栓内筒部材９の上部筒部２５を栓カバー６の注出筒５内に向けて下側より上方へ押し上げ、上部筒部の上部環状パッキン２７が注出筒下側に当接するまで押し上げ、同時に栓カバーの二股状の垂下片２３内に栓内筒部材の鍔２９を嵌め込み、栓内筒部材の上部筒部２５と注出筒５とを上部環状パッキン２７を介在させて密に当接させた後、肩部材４の外側壁部１９の外周ネジ部１８に向けて栓カバー６を螺着すれば、栓カバー内の栓内筒部材９の下部筒部２４が下部環状パッキン２８の介在にて、肩部材の内壁部２１に沿って降下し同時にこの肩部材の上壁部２０並びに内壁部２１と下部筒部２４とを密に当接させる。それ故に、取り付けが簡単であって、液体容器本体２の口元８と栓カバー６の注出筒５の注出口５ａとが連通して、確実に水漏れを防ぐことができる。
又、栓カバー６と内蔵の栓内筒部材９との間には、大小の隙間を設けて栓カバー外側での結露の防止を行っている。
【００２０】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【図面の簡単な説明】
【００２１】
【図１】本考案実施例の斜視図。
【図２】本考案実施例の縦断面図。
【図３】本考案実施例の分解斜視図。
【図４】本考案実施例の要部を示す縦断面図。
【図５】本考案実施例の栓内筒部材の縦断面図。
【図６】本考案実施例の栓カバーの縦断面図。
【符号の説明】
【００２２】
１…液体容器
２…液体容器本体
４…肩部材
５…注出筒
５ａ…注出口
６…栓カバー
７…キャツプ
８…口元
９…栓内筒部材
１０…開閉操作部材
１６…弾性パッキン
１８…外周ネジ部
１９…外側壁部
２０…上壁部
２１…内壁部
２２…内壁ネジ部
２４…下部筒部
２５…上部筒部
２６…遮蔽板
２７…上部環状パッキン
２８…下部環状パッキン
２９…鍔
３１…閉鎖部材
【図１】
0003149537.tif 000003
【図２】
0003149537.tif 000004
【図３】
0003149537.tif 000005
【図４】
0003149537.tif 000006
【図５】
0003149537.tif 000007
【図６】
0003149537.tif 000008